(57)【要約】【課題】ブラシ本体の夫々のピンを静電気の発生を抑えた状態で振動させ、ブラッシングするだけで毛髪をサラサラでストレートにすることができ、しかも小型であって携帯に利便な折り畳み構造としたヘアブラシを提供する。【解決手段】ブラシ本体２の上面に設けられたバッテリーカバー１８の内部にバッテリーを装填するバッテリー収納室１６が設けられると共に、ブラシ本体２の上面にラバーパッド５が着脱自在に装着され、ラバーパッド５には多数の金属製ピン又は金属メッキを施したピン４、４…が間隔をあけて植設され、バッテリーカバー１８及びブラシ本体２の上面に複数のマグネット２３ａ、２３ｂ…が設けられたことによって、夫々のピンに磁力を及ぼした状態で振動発生装置により夫々のピンに振動を発生させ、さらにブラシ本体２に展開可能に枢設されたハンドルカバー３を折り畳むことによって多数のピンを包囲した状態に保護する。【選択図】図５
2007330671.tif 000002
【特許請求の範囲】
【請求項１】
ブラシ本体の内部に振動発生装置が設けられたヘアブラシにおいて、前記ブラシ本体の上面に着脱自在に設けられたバッテリーカバーの内部にバッテリーを交換可能に装填するバッテリー収納室が設けられると共に、前記ブラシ本体の上面にラバーパッドが着脱自在に装着され、該ラバーパッドには多数の金属製ピン又は金属メッキを施したピンが間隔をあけて植設され、前記バッテリーカバー及び前記ブラシ本体の上面に複数のマグネットが設けられたことによって、夫々のピンに磁力を及ぼした状態で前記振動発生装置により前記夫々のピンに振動を発生させ、さらに前記ブラシ本体の端部に展開可能に枢設されたハンドルカバーを折り畳むことによって該ハンドルカバーで前記多数のピンを包囲した状態に保護するようにしたことを特徴とするヘアブラシ。
【請求項２】
前記振動発生装置は、前記ブラシ本体の内部に固設された電動モータの回転軸にウエイトを偏心状態で固定してなることを特徴とする請求項１記載のヘアブラシ。
【請求項３】
前記ピンは球状頭部を有すると共に、該ピンの下端部に所定間隔で上下の係止環が形成されると共に、下端側の係止環が上側の係止環よりも大径に形成され、前記ラバーパッドに設けられた夫々の植穴に挿通された前記ピンを前記上下の係止環で挟持することによって夫々のピンが傾倒自在に取付けられたことを特徴とする請求項１又は２記載のヘアブラシ。
【請求項４】
前記ハンドルカバーは前記ブラシ本体に対して略直状に展開された状態で係止されるか、または前記ブラシ本体に対して直状に到る途中の傾斜状態で係止されるように枢設されたことを特徴とする請求項１、２又は３記載のヘアブラシ。
【請求項５】
前記ハンドルカバーの内側天面に鏡が設けられ、前記ハンドルカバーを展開した状態で前記鏡を見ることができるようにしたことを特徴とする請求項１、２、３又は４記載のヘアブラシ。
【請求項６】
前記ラバーパッドに、セラミック炭素、鉱石の他に、頭皮や毛髪に良い影響を与える物質を塗布又は練り込んで含ませたことを特徴とする請求項１、２、３、４又は５記載のヘアブラシ。
【発明の詳細な説明】
【技術分野】
【０００１】
本発明は、ブラッシングの際に毛髪や頭皮に振動を与え、ブラッシングするだけで毛髪をサラサラでストレートにすることができ、小型且つ携帯可能に構成したヘアブラシに関する。
【背景技術】
【０００２】
従来、毛髪をブラッシングするためのヘアブラシは、ブラシ本体に多数のピンが起立状態で植設されたものが周知であり、このブラシ本体のピンを構成する材料としては、ナイロンや動物の毛等を使用するのが一般的である。
【０００３】
また、近年においては、振動発生機能を有するヘアブラシが開発されている。この種のヘアブラシとして特許文献１に記載されたブラシを参照すると、図１３に示すように、中空状の本体４１と、本体４１に内蔵された振動発生装置（不図示）と、本体４１の一面にブラシ部４２、４２…を設けたブラシ体４３と、本体４１の他の４５に設けられた突起部４４を有する突起体４６とを備えるものである。このような構成により、本体４１の振動発生装置による振動をブラシ体４３に伝達して頭皮をマッサージすることにより、血行を促進する一方、本体４１の振動発生装置による振動を本体４１の他の面４５の突起体４６にも伝達し、これを肩や手足に当てることによりマッサージ可能としたものである。
【特許文献１】特開平９−１７３１４７号公報
【発明の開示】
【発明が解決しようとする課題】
【０００４】
ところで、上記のブラシ体４３は、ポリエステル等のエラストマーから構成されているため、ブラシ体４３が弾性を有し、上記のようにブラシ体４３を頭皮に当てて振動させることにより、マッサージ効果を向上させることが可能となる。
【０００５】
ところが、上記のポリエステル等の合成樹脂を使用したブラシ体４３で毛髪をブラッシングすると、毛髪に静電気が発生し、使用者に不快感を与えるだけでなく、毛髪が絡まったり、ウネリやハネが生じたりするという不都合が生じていた。
【０００６】
また、振動発生装置を備えた従来のヘアブラシは、ブラシ全体が大型化し、携帯するのに不便であり、さらにヘアブラシを携行する際、バッグ等に入れると、ピンが乱雑になって折れたり、抜け出たりするという不都合があった。
【０００７】
本発明は、以上の事情に鑑みてなされたもので、ブラシ本体の夫々のピンを静電気の発生を抑えた状態で振動させてブラッシング可能とし、ブラッシングすることによって毛髪をサラサラでストレートにすることができ、しかも小型であって携帯に利便な折り畳み構造とし、さらには携帯時においても夫々のピンが保護される構造としたヘアブラシを提供することを目的とする。
【課題を解決するための手段】
【０００８】
上記の目的を達成するために、本発明の請求項１に記載したヘアブラシは、ブラシ本体の内部に振動発生装置が設けられたヘアブラシにおいて、前記ブラシ本体の上面に着脱自在に設けられたバッテリーカバーの内部にバッテリーを交換可能に装填するバッテリー収納室が設けられると共に、前記ブラシ本体の上面にラバーパッドが着脱自在に装着され、該ラバーパッドには多数の金属製ピン又は金属メッキを施したピンが間隔をあけて植設され、前記バッテリーカバー及び前記ブラシ本体の上面に複数のマグネットが設けられたことによって、夫々のピンに磁力を及ぼした状態で、前記振動発生装置により前記夫々のピンに振動を発生させ、さらに前記ブラシ本体の端部に展開可能に枢設されたハンドルカバーを折り畳むことによって該ハンドルカバーで前記多数のピンを包囲した状態に保護するようにしたことを特徴とする。
【０００９】
また、本発明の請求項２のヘアブラシは、請求項１において、前記振動発生装置は、前記ブラシ本体の内部に固設された電動モータの回転軸にウエイトを偏心状態で固定してなることを特徴とする。
【００１０】
また、本発明の請求項３のヘアブラシは、請求項１又は２において、前記ピンは球状頭部を有すると共に、該ピンの下端部に所定間隔で上下の係止環が形成されると共に、下端側の係止環が上側の係止環よりも大径に形成され、前記ラバーパッドに設けられた夫々の植穴に挿通された前記ピンを前記上下の係止環で挟持することによって夫々のピンが傾倒自在に取付けられたことを特徴とする。
【００１１】
また、本発明の請求項４のヘアブラシは、請求項１、２又は３において、前記ハンドルカバーは前記ブラシ本体に対して略直状に展開された状態で係止されるか、または前記ブラシ本体に対して直状に到る途中の傾斜状態で係止されるように枢設されたことを特徴とする。
【００１２】
さらに、本発明の請求項５のヘアブラシは、請求項１、２、３又は４において、前記ハンドルカバーの内側天面に鏡が設けられ、前記ハンドルカバーを展開した状態で前記鏡を見ることができるようにしたことを特徴とする。
【００１３】
また、本発明の請求項６のヘアブラシは、請求項１、２、３、４又は５において、前記ラバーパッドに、セラミック炭素、鉱石の他に、頭皮や毛髪に良い影響を与える物質を塗布又は練り込んで含ませたことを特徴とする。
【発明の効果】
【００１４】
本発明のヘアブラシは、ブラシ本体の内部に振動発生装置が設けられたヘアブラシにおいて、ブラシ本体の上面に着脱自在に設けられたバッテリーカバーの内部にバッテリーを交換可能に装填するバッテリー収納室が設けられると共に、ブラシ本体の上面にバッテリーカバーを包囲するラバーパッドが着脱自在に装着された構成によって、ヘアブラシのブラシ本体の内部に振動発生装置とバッテリ収納室が共に収納された構造となり、これによってブラシ本体の小型化に貢献すると共に、さらにブラシ本体の端部に展開可能に枢設されたハンドルカバーを折り畳み可能とすることによって、ヘアブラシのさらなる小型化に有益となる。しかも、ハンドルカバーを折り畳むことによって、ハンドルカバーで多数のピンを包囲した状態に保護することが可能となり、ピンの植設状態を正常に保ち、ヘアブラシの耐久性及び寿命を向上することが可能となる。
【００１５】
また、本発明のヘアブラシにおいて、振動発生装置はブラシ本体の内部に固定された電動モータの回転軸にウエイトを偏心状態で固定してなる簡単な構成によって実現され、ヘアブラシの小型化及び軽量化に有益となる。
【００１６】
また、本発明のヘアブラシにおいて、ラバーパッドに植設された夫々のピンは球状頭部を有するため、ブラッシングの際に頭皮に接触する面積を広げ、ブラッシングの際のすべての方向への抵抗を軽減し、頭皮を傷つけ難いブラシとすることができる。また、夫々のピンの下端部に所定間隔で上下の係止環が形成されると共に、下端側の係止環が上側の係止環よりも大径に形成され、ラバーパッドに設けられた夫々の植穴に挿通されたピンを上下の係止環で挟持することによって、夫々のピンが傾倒自在に取付けられた構成となり、しかも外的なピンの抜け出し力に対して、下端側の係止環が強い抵抗力を発揮することによりピンの抜け出しを防止することが可能となる。
【００１７】
また、本発明のヘアブラシにおいて、ブラシ本体の上面に着脱自在に装着されたラバーパッドには多数の金属製ピン又は金属メッキを施したピンが間隔をあけて植設され、バッテリーカバー及びブラシ本体の上面に複数のマグネットが設けられたことによって、夫々のピンに磁力を及ぼした状態で、振動発生装置により夫々のピンに振動を発生させることが可能となり、ブラッシングの際に静電気が発生し難く、毛髪への負担を軽減して、くしの通りを良くすることができるため、頭皮のマッサージ効果を有するだけでなく、毛髪にも良好な影響を与えることができ、ブラッシングするだけで毛髪をサラサラでストレートにすることが可能となる。
【００１８】
さらに、本発明において、ハンドルカバーはブラシ本体に対して略直状に展開された状態で係止される構成とされたことによって、このブラシ本体を手で握ってブラッシングするのに利便となる。また、ブラシ本体に対して直状に到る途中の傾斜状態で係止される枢設構造とすることにより、ハンドルカバーを展開した状態で鏡を使用することができるだけでなく、ブラシ本体を机等の上面に設置すると、ハンドルカバーの内側天面に設けられた鏡が傾斜状に向けられ、手放しで鏡を見る際にも利便に使用することが可能となる。
【００１９】
さらに、ブラシ本体のラバーパッドに、セラミック炭素、鉱石の他に、頭皮や髪に良い影響を与える物質を含ませたことによって、上記のブラッシング及び振動による効果に加えて頭皮や毛髪に対して相乗的に良好な影響を与えることが可能となる。
【発明を実施するための最良の形態】
【００２０】
以下、本発明の実施例について図面を参照しながら説明する。
【実施例１】
【００２１】
本発明のヘアブラシ１の全体構成は、図１又は図２に示すように、やや長尺のボディを有するブラシ本体２の端部にハンドルカバー３が回動自在に枢設され、図１に示すように、ブラシ本体２の上面には多数の金属製ピン４、４…を植設したラバーパッド５が設けられ、ハンドルカバー３はブラシ本体２に対して略直状になるまで展開することができる。また、図２に示すように、ハンドルカバー３を折り畳むことによって、ほぼ半分の長さに縮小することができる（図１２（ａ）、(ｂ)、(ｃ)参照）。
【００２２】
図３は上記のヘアブラシ１の分解斜視図である。この図に示すように、ブラシ本体２はトップカバー６とボトムカバー７に分割することができ、これらのトップカバー６とボトムカバー７は止めネジ８の螺締によって結合可能とされている。また、ボトムカバー７の先端側内部に固設される振動発生装置は、電動モータ９の回転軸１０にウエイト１１を偏心状態で固定してなり、この電動モータ９のウエイト１１をボトムカバー７の先端側に向けた状態でボトムカバー７内の所定区画内に固設する。また、ボトムカバー７の内部には、電動モータ９を高速回転、低速回転、及び停止するスライドスイッチ１２と、このスライドスイッチ１２の作動を行うスイッチアクチュエータ１３（図９参照）と、後述するハンドルカバー３を開く際の弾性力と係止作用を付与するスプリングプレート１４が収納される。
【００２３】
また、図３に示すように、トップカバー６の内部にはバッテリーとして用いられた乾電池１５を収納するバッテリー収納室１６が設けられ、その内部の両側には正負の電極１７ａ、１７ｂが設けられると共に、バッテリー収納室１６を閉塞するバッテリーカバー１８が着脱自在に設けられている。即ち、図３又は図４に示すように、このバッテリーカバー１８の一端にはバッテリー収納室１６の内部片側に設けられた係止辺１９に係止される第１の係止片２０が折返し形状に形成されると共に、バッテリーカバー１８の他端には突起状の第２の係止片２１、２１が形成されている。バッテリーカバー１８を装着する際、第２の係止片２１、２１をバッテリー収納室１６の他端の係止溝２５、２５（図４参照）に係止した状態で、第１の係止片２０を係止辺１９に押し込むことによって、第１の係止片２０に形成された突部２０ａが係止辺１９に係止されることによりロックされる。このバッテリーカバー１８を取り外すには、第１の係止片２０を内側に押し込むことによって係止辺１９との係止状態を解除するとよい。
【００２４】
さらに、図３に示すように、ブラシ本体２のトップカバー６のバッテリー収納室１６に嵌合されるバッテリーカバー１８の上部に間隔をあけて２個の穴部２２ａ、２２ｂが設けられ、夫々の穴部２２ａ、２２ｂにマグネット２３ａ、２３ｂが接着材で固定されると共に、トップカバー６の上面に設けられた他の穴部２２ｃに１個のマグネット２３ｃが接着材で固定されることによって、ブラシ本体２の上面には長手方向に間隔をあけて３個のマグネット２３ａ、２３ｂ、２３ｃが固設された構成となる。なお、このマグネット２３ａ、２３ｂ…の設置個数は３個に限定されるものではなく、さらに多数のマグネットを設けてもよい。
【００２５】
上記のブラシ本体２のトップカバー６の両側には長手方向に沿って長溝２４ａ、２４ｂが形成され、夫々の長溝２４ａ、２４ｂはトップカバー６の先端に向けて開放されている。また、略長方形状に形成されたラバーパッド５の両側に沿って長尺の係止用突部５ａ、５ｂが形成され、夫々の係止用突部５ａ、５ｂをトップカバー６の両側の長溝２４ａ、２４ｂに端部から押し込むことによって、夫々の長溝２４ａ、２４ｂにラバーパッド５の係止用突部５ａ、５ｂが係止された状態となって固定される（図７(ａ)参照）。
【００２６】
上記のラバーパッド５は薄厚の弾性を有する天然ゴム又は合成ゴム等によって形成され、このラバーパッド５に、セラミック炭素、鉱石の他に、頭皮や毛髪に良い影響を与える物質を塗布又は練り込んで含ませることにより、それらの物質による効果、例えばセラミック炭素のマイナスイオン効果や遠赤外線効果等により、頭皮や毛髪の血行を良くする等の相乗効果を得ることができる。
【００２７】
さらに、図５に示すように、ラバーパッド５の端部中央には下方に突起２６ａが形成された突片２６が形成され、この突片２６がトップカバー６の止めネジ8を挿着する穴部6ａ（図３参照）を隠蔽するように位置合わせされる。
【００２８】
上記のラバーパッド５において、その面内には所定間隔をあけて多数の植穴５ｃ、５ｃ…が形成され、夫々の植穴５ｃ、５ｃ…にピン４、４…が植設されている。夫々のピン４、４…は、ステンレス等の摩擦抵抗の低い金属を用いて細径棒状に形成するか、鉄等の金属又は合成樹脂等による細径棒状の周部に金属メッキ又はクロムメッキ等の摩擦抵抗の低いメッキが施されており、ブラッシングの際に静電気が発生し難い構成となり、毛髪への負担を軽減して、くし通りを良くすることができる。
【００２９】
また、図６（ａ）〜(ｃ)に示すように、ピン４、４…の頭部を球形状、即ち球状頭部４ｃとすることにより、ブラッシングの際に頭皮に接触する面積を広げ、ブラッシングの際のすべての方向への抵抗を軽減し、頭皮を傷つけ難いブラシとすることができる。また、ピン４、４…の下端にはゴムパッド５の厚さだけ離間した位置に上下の係止環４ａ、４ｂが形成されている。夫々のピン４、４…をラバーパッド５に植設するには、夫々の植穴５ｃ、５ｃ…にピン４、４…を球状頭部４ｃから挿通して上下の係止環４ａ、４ｂでラバーパッド５を挟むように挿着する。図６(ｃ)に示す挿着状態において、夫々のピン４、４…の下端側の係止環４ａがその上側の係止環４ｂよりも大径に形成されているため、外的な抜け出し力が作用した場合、下端側の係止環４ａが強い抵抗力を発揮することによりピン４、４…の抜け出しを防止することが可能となる。
【００３０】
上記のように多数のピン４、４…を備えたラバーパッド５をブラシ本体２に装着するには、図４に示すように予めバッテリーカバー１８が装着された状態で、図５に示すように、トップカバー６の両側の長溝２４ａ、２４ｂにラバーパッド５の両側に設けられた長尺の係止用突部５ａ、５ｂを端部から押し込むことにより、図７(ａ)に示すようにラバーパッド５の係止用突部５ａ、５ｂが長溝２４ａ、２４ｂに係止された固定状態となる。この状態において、図７（ａ）に示すように、ラバーパッド５はトップカバー６の円弧形状に沿ってドーム状に形成され、ピン４、４…の先部の間隔を広げた状態にすることとなる。
【００３１】
また、ラバーパッド５は、図５のバッテリーカバー１８を隠蔽し、バッテリーカバー１８とトップカバー６の上面に設けられた複数のマグネット２３ａ、２３ｂ、２３ｃを覆った状態となり、夫々のマグネット２３ａ、２３ｂ、２３ｃは、夫々の磁力をラバーパッド５の個々の金属製ピン４、４…に及ぼすこととなる。
【００３２】
上記の構成により、ブラッシングの際に、磁力を帯びたピン４、４…が毛髪や頭皮に触れると、毛髪や頭皮を活性化し、血液の循環を良くし、新陳代謝を促進させる効果を発揮することとなる。また、夫々のピン４、４…にラバーパッド５のクッション効果が発揮されると共に、ピン４、４…の上下の係止環４ａ、４ｂが植穴５ｃを挟持した構成によって自由に傾倒するため、ブラッシングの際、ピン４、４…に強い力が加わった場合でも、ラバーパッド５に吸収されたり、ピン４、４…が自由に傾いたりして、毛根に過度な負担をかけず、容易にブラッシングすることができ、頭皮に心地よいマッサージを行うことが可能となる。
【００３３】
さらに、図３に示す電動モータ９を駆動することによってウエイト１１が偏心状態で回転することにより振動が発生し、この振動がトップカバー６に伝達されると共に、ラバーパッド５へと伝達され、それぞれのピン４、４…が振動することとなる。このような構成によって、ブラッシングの際、またはヘアブラシ１を頭皮に当てた際に、夫々のピン４、４…を介して振動が伝達され、頭皮がマッサージされると共に、絡まった毛髪が振動によってほぐされ、くし通りが良好なものとなり、ブラッシングするだけで毛髪をサラサラでストレートな状態にすることができる。なお、上記の電動モータ９による振動数は、３０００回転／分、４０００回転／分、５０００回転／分、又は６０００回転／分以上とするのが好ましい。
【００３４】
また、図３に示すハンドルカバー３は、ブラシ本体２と対応したやや長尺の形状であって、上記のブラシ本体２の全てのピン４、４…を包囲しうる船底形状に形成されると共に、ブラシ本体２に枢設される端部の両側に挟持片２７、２７が形成され、夫々の挟持片２７、２７の間には支承軸２８が結合されている。一方、ブラシ本体２のボトムカバー７の片側端部には両端に上記の支承軸２８を支持する半円形の軸受部２９、２９が形成されると共に、上記のスプリングプレート１４を差し込む差込み部３０が形成されている。この差込み部３０に挿着されたスプリングプレート１４には突状係止部１４ａが形成され、ボトムカバー７の支承軸２８をボトムカバー７の軸受部２９、２９に係合することによって、スプリングプレート１４の突状係止部１４ａがボトムカバー７の支承軸２８に形成された凹溝２８ａに嵌合される。
【００３５】
また、ブラシ本体２のトップカバー６の片側端部には半円筒形の保持片３１が形成され、上記のようにスプリングプレート１４の突状係止部１４ａがボトムカバー７の支承軸２８の凹溝２８ａに嵌合されると共に、ボトムカバー７にトップカバー６を嵌合して止めネジ８ｄで締結した状態にすると、トップカバー６の保持片３１がハンドルカバー３の支承軸２８を上方から保持することによって、ハンドルカバー３の支承軸２８は軸受部２９、２９に支承された状態で回動自在となる。
【００３６】
ただし、ハンドルカバー３の回動動作において、スプリングプレート１４の突状係止部１４ａがハンドルカバー３の支承軸２８の凹溝２８ａに係止された時点で、ハンドルカバー３の回動動作は一端係止状態とされ、図１０に示すように、ハンドルカバー３はブラシ本体２に対して直状に到る途中の傾斜状態で係止される。また、さらにハンドルカバー３を回動すると、スプリングプレート１４の突状係止部１４ａがハンドルカバー３の支承軸２８の凹溝２８ａに係止された状態から解除され、ハンドルカバー３の内側天面３ａの仕切片３ｂ（図１参照）に当たった状態となって回動が停止され、図１１に示すように、ブラシ本体２に対して略直状に展開された固定状態となる。
【００３７】
上記の構成において、図８に示すように、ハンドルカバー３を展開した状態で鏡３２を使用することができるだけでなく、図１０に示すように、ハンドルカバー３をブラシ本体２に対して直状に到る途中の傾斜状態で係止した状態にすると、ブラシ本体２を例えば机等の上面に設置した場合、ハンドルカバー３の鏡３２が傾斜状に向けられ、手放しで鏡３２を見る際にも利便な状態となる。また、図１１に示すように、ハンドルカバー３をブラシ本体２に対して略直状に展開した状態とすることにより、このブラシ本体２を手で握ってブラッシングするのに利便となる。
【００３８】
さらに、図７（ａ）〜(ｃ)又は図１２（ａ）〜(ｃ)に示すように、ブラシ本体２に対してハンドルカバー３を折り畳んだとき、ハンドルカバー３がブラシ本体２の上面のラバーパッド５に植設されたピン４、４…の全てを包囲した状態となり、ヘアブラシ１を携帯する際等に、例えばバッグに入れた状態にしても、夫々のピン４、４…がハンドルカバー３で保護された状態となり、夫々のピン４、４…の植設状態を正常に保ち、ヘアブラシの耐久性及び寿命を向上することが可能となる。
【産業上の利用可能性】
【００３９】
本発明のヘアブラシは、頭皮だけでなく毛髪にも良好な影響を与えるようにした振動発生機能を有するヘアブラシであって、多数のピンにマグネットによる磁力を付与すると共に、夫々のピンを振動状態にしてブラッシングするだけで、髪のウネリ、ハネ、髪の広がりを抑え、サラサラでストレートな毛髪にすることができ、さらにハンドルカバーを折り畳み構造とすることによって小型且つ携帯に利便であって、ハンドルカバーの包囲によって夫々のピンが保護されるヘアブラシとして利用可能である。
【図面の簡単な説明】
【００４０】
【図１】本発明によるヘアブラシのハンドルカバーを開いた状態にした全体斜視図である。
【図２】本発明によるヘアブラシを畳んだ状態にした斜視図である。
【図３】本発明によるヘアブラシの分解斜視図である。
【図４】本発明によるヘアブラシのバッテリーカバーの装着前の状態を示す部分斜視図である。
【図５】本発明によるヘアブラシのブラシ本体の上面にラバーパッドを装着する前の状態を示す斜視図である。
【図６】(a)〜（c）は、本発明によるヘアブラシのラバーパッドの植穴にピンを植設する方法を示す断面図である。
【図７】本発明によるヘアブラシの端面図であり、(ａ)はハンドルカバーを開いた状態を示す先端側端面図であり、(ｂ)はハンドルカバーを畳んだ状態を示す先端側端面図であり、(ｃ)はハンドルカバーを畳んだ状態を示す後端側端面図である。
【図８】本発明によるヘアブラシのハンドルカバーを開いた状態を示す内側面図である。
【図９】本発明によるヘアブラシのハンドルカバーを開いた状態を示す背面図である。
【図１０】本発明によるヘアブラシのハンドルカバーを途中の傾斜状態まで開いた状態を示す側面図である。
【図１１】本発明によるヘアブラシのハンドルカバーを略直状まで開いた状態を示す側面図である。
【図１２】本発明によるヘアブラシのハンドルカバーを閉じた状態を示す図であり、(ａ)は側面図、(ｂ)は上面図、(ｃ)は背面図である。
【図１３】(ａ)は特許文献１のブラシの側面図であり、(ｂ)は背面図である。
【符号の説明】
【００４１】
１  ヘアブラシ
２  ブラシ本体
３  ハンドルカバー
３ａ  内側天面
３ｂ  仕切片
４  ピン
４ａ  下端側係止環
４ｂ  上側係止環
４ｃ  球状頭部
５  ラバーパッド
５ａ、５ｂ  係止用突部
５ｃ  植穴
６  トップカバー
６ａ  穴部
７  ボトムカバー
８  止めネジ
９  電動モータ
１０  回転軸
１１  ウエイト
１２  スライドスイッチ
１３  スイッチアクチュエータ
１４  スプリングプレート
１４ａ  突状係止部
１５  乾電池
１６  バッテリー収納室
１７ａ、１７ｂ  電極
１８  バッテリーカバー
１９  係止辺
２０  第１の係止片
２０ａ  突部
２１  第２の係止片
２２ａ、２２ｂ、２２ｃ  穴部
２３ａ、２３ｂ、２３ｃ  マグネット
２４ａ、２４ｂ  長溝
２５  係止溝
２６  突片
２６ａ  突起
２７  挟持片
２８  支承軸
２８ａ  凹溝
２９  軸受部
３０  差込み部
３１  保持片
３２  鏡
【図１】
2007330671.tif 000003
【図２】
2007330671.tif 000004
【図３】
2007330671.tif 000005
【図４】
2007330671.tif 000006
【図５】
2007330671.tif 000007
【図６】
2007330671.tif 000008
【図７】
2007330671.tif 000009
【図８】
2007330671.tif 000010
【図９】
2007330671.tif 000011
【図１０】
2007330671.tif 000012
【図１１】
2007330671.tif 000013
【図１２】
2007330671.tif 000014
【図１３】
2007330671.tif 000015